(57)【要約】【課題】ワンウェイダンパを用いることなく、紐状体Ｗが引き出されるときにのみ制動を付与させるようにする。【解決手段】リール体１と、リール体１を回転可能に保持するベース体２と、リール体１の逆転によってこのリール体１を正転させる向きの付勢力を蓄勢するリール体１に対するうず巻きバネ３と、制動部材４とを有している。紐状体Ｗの引き出し操作によって保持凹部２０の長軸ｙ方向においてうず巻きバネ３を弾性変形させながらリール体１が保持凹部２０の短軸ｘを挟んだ一方側に移動されると共に、この移動によりこのリール体１の周回ラック部１１が制動部材４のギア部４０ａに噛み合うようになっている。【選択図】図３
2006046490.tif 000002
【特許請求の範囲】
【請求項１】
リール体と、このリール体を回転可能に保持するベース体と、このリール体の逆転によってこのリール体を正転させる向きの付勢力を蓄勢するこのリール体に対するうず巻きバネと、制動部材とを有しており、
リール体は、紐状体が巻き付けられたスプール部と、周回ラック部とを有しており、
ベース体は、短軸と長軸とを持った楕円状をなすリール体の保持凹部を有しており、
うず巻きバネは、バネ中心端を保持凹部の略中心に止め付け、かつ、バネ外端をリール体に止め付けており、
制動部材は、粘性流体の封入されたケース体に軸内端を回転可能に納めさせると共に、軸外端にギア部を備えた回転軸体を有しており、
ベース体の保持凹部の短軸を挟んだ一方側からリール体を逆転させながら紐状体が引き出されるようにしてあると共に、
この保持凹部の短軸を挟んだ一方側に形成された割欠き部に制動部材のギア部が臨まされており、
紐状体の引き出し操作によって保持凹部の長軸方向においてうず巻きバネを弾性変形させながらリール体が保持凹部の短軸を挟んだ一方側に移動されると共に、この移動によりこのリール体の周回ラック部が制動部材のギア部に噛み合うようになっていることを特徴とするダンパ装置。
【請求項２】
ベース体の保持凹部の底側に、この保持凹部へのリール体の入れ込みによって、この入れ込み先側にあるリール体の奥端部に形成された周回フランジに突き当てられて一旦弾性変形した後のこの保持凹部にリール体を入れ込み切った位置での弾性復帰により、この周回フランジの上面に引っかかる掛合爪が形成されていることを特徴とする請求項１記載のダンパ装置。
【請求項３】
ベース体の保持凹部へのリール体の入れ込み手前側にあるリール体の外端部に組み付けられるカバーに、紐状体の一端部がこの一端部をインサートとしたインサート成形によって止着されていると共に、
リール体の外端部と奥端部との間に周回ラック部を外側にしてこの周回ラック部とスプール部とが形成されており、
しかも、周回ラック部に、この周回ラック部を構成する歯体の根本において外方に開放された紐状体の通し用割溝が形成されていることを特徴とする請求項１又は請求項２記載のダンパ装置。
【請求項４】
紐状体の他端部に、この他端部をインサートとしたインサート成形によって、被制動付与対象物への留め付け部を備えたクリップが止着されていることを特徴とする請求項１〜請求項３のいずれか１項に記載のダンパ装置。
【発明の詳細な説明】
【技術分野】
【０００１】
この発明は、紐状体を引き出し可能に巻き取り状に備え、巻き取られているこの紐状体が引き出される際にのみこの引き出しに制動を付与するダンパ装置の改良に関する。
【背景技術】
【０００２】
ケースに回転可能に収納されたギアと、このギアの芯体に巻き付けられたストリングと、ストリングが引き出されるときに弾性力が蓄勢されるゼンマイバネと、前記ギアに噛み合うワンウェイダンパとを有し、ストリングが引き出される方向にギアが回転される場合にのみこのギアの回転に制動を付与するように構成されたダンパユニットとして特許文献１に示されるものがある。かかるダンパユニットによれば、例えば、ストリングの引き出し端にグローブボックス本体を接続させ、ケースを車両本体に備え付けさせるようにすることにより、グローブボックス本体の開き動作時にのみこのグローブボックス本体の動作に制動を付与させるようにすることができる。グローブボックス本体の閉じ動作時にはストリングはバネの弾性復帰によりギアの芯体に巻き取られることになるが、この場合にはギアの回転に制動は付与されないことから、ストリングの巻き取りはスムースになされる。
【特許文献１】特開２００４−１７５１５１号公報
【発明の開示】
【発明が解決しようとする課題】
【０００３】
この発明が解決しようとする主たる問題点は、前記特許文献１記載のダンパユニットと同様の機能を、前記ワンウェイダンパを用いることなく、実現できるようにする点にある。
【課題を解決するための手段】
【０００４】
前記問題点を解決するために、この発明にあっては、ダンパ装置が以下の（１）〜（８）の構成を備えたものとした。
（１）リール体と、このリール体を回転可能に保持するベース体と、このリール体の逆転によってこのリール体を正転させる向きの付勢力を蓄勢するこのリール体に対するうず巻きバネと、制動部材とを有しており、
（２）リール体は、紐状体が巻き付けられたスプール部と、周回ラック部とを有しており、
（３）ベース体は、短軸と長軸とを持った楕円状をなすリール体の保持凹部を有しており、
（４）うず巻きバネは、バネ中心端を保持凹部の略中心に止め付け、かつ、バネ外端をリール体に止め付けており、
（５）制動部材は、粘性流体の封入されたケース体に軸内端を回転可能に納めさせると共に、軸外端にギア部を備えた回転軸体を有しており、
（６）ベース体の保持凹部の短軸を挟んだ一方側からリール体を逆転させながら紐状体が引き出されるようにしてあると共に、
（７）この保持凹部の短軸を挟んだ一方側に形成された割欠き部に制動部材のギア部が臨まされており、
（８）紐状体の引き出し操作によって保持凹部の長軸方向においてうず巻きバネを弾性変形させながらリール体が保持凹部の短軸を挟んだ一方側に移動されると共に、この移動によりこのリール体の周回ラック部が制動部材のギア部に噛み合うようになっている。
【０００５】
かかる構成によれば、リール体から紐状体が引き出される際にはこの引き出しに制動を付与する反面、この紐状体への引き出し力の作用が解かれた場合には制動部材による制動を蒙ることなくうず巻きバネの作用によりリール体を正転させて引き出された紐状体をスムースに巻き取ることができる。
【０００６】
前記ベース体の保持凹部の底側に、この保持凹部へのリール体の入れ込みによって、この入れ込み先側にあるリール体の奥端部に形成された周回フランジに突き当てられて一旦弾性変形した後のこの保持凹部にリール体を入れ込み切った位置での弾性復帰により、この周回フランジの上面に引っかかる掛合爪を形成させておくこともある。
【０００７】
かかる構成によれば、ベース体の保持凹部にリール体を入れ込ませることにより、このベース体にワンタッチで回転可能にリール体を組み付けることができる。
【０００８】
前記ベース体の保持凹部へのリール体の入れ込み手前側にあるリール体の外端部に組み付けられるカバーに、紐状体の一端部がこの一端部をインサートとしたインサート成形によって止着されていると共に、
リール体の外端部と奥端部との間に周回ラック部を外側にしてこの周回ラック部とスプール部とが形成されており、
しかも、周回ラック部に、この周回ラック部を構成する歯体の根本において外方に開放された紐状体の通し用割溝を形成させておくこともある。
【０００９】
かかる構成によれば、リール体にカバーを組み付けることにより、リール体に紐状体の一端部を確実に接合させることができると共に、このカバーに止着された紐状体を前記通し用割溝を通してスプール部に都合良く巻き付けさせることができる。
【００１０】
前記紐状体の他端部に、この他端部をインサートとしたインサート成形によって、被制動付与対象物への留め付け部を備えたクリップを止着させておくこともある。
【００１１】
かかる構成によれば、このクリップを介してこの被制動付与対象物にワンタッチで確実に紐状体の他端部を接合させることができる。
【発明の効果】
【００１２】
この発明にかかるダンパ装置によれば、ギア部を備えた制動部材は正逆いずれの向きのギア部の回転によってもこのギア部の回転に制動を生じさせるようにさせておきながら、紐状体の引き出し操作時のリール体の逆転にのみ制動を付与させることができる。
【発明を実施するための最良の形態】
【００１３】
以下、図１ないし図１１に基づいて、この発明を実施するための最良の形態について説明する。
【００１４】
なお、ここで図１、図３、図５、図７、図９は、実施の形態にかかるダンパ装置Ｄをそれぞれ示しており、特に、図３は、紐状体Ｗが引っ張られていないときの状態を、また、図５は、紐状体Ｗが引っ張られているときの状態を、それぞれ示している。また、図４は、図３の状態におけるダンパ装置Ｄの要部を、また、図６は、図５の状態におけるダンパ装置Ｄの要部を、それぞれ示している。また、図２は、ダンパ装置Ｄを構成する各部材を分離した状態で示している。また、図８は、図３の状態におけるベース体２の内部の様子を理解しやすいように、リール体１の記載を省略して示している。また、図１０および図１１は、リール体１をそれぞれ示している。
【００１５】
この実施の形態にかかるダンパ装置Ｄは、紐状体Ｗを引き出し可能に巻き取り状に備えており、巻き取られているこの紐状体Ｗが引き出される際にのみこの引き出しに制動を付与するものである。
【００１６】
かかる紐状体Ｗとしては、丸紐、平紐、コード、鋼線、ピアノ線などが予定される。
【００１７】
そして、かかるダンパ装置Ｄは、典型的には、かかる紐状体Ｗの引き出し端（他端部Ｗｂ）に接続されて、移動によってこの紐状体Ｗを引き出させる蓋や扉や抽斗などの被制動付与対象物のこの移動に、かかる紐状体Ｗの引き出しへの前記制動の付与を通じて制動を付与するように用いられる。具体的には、例えば、収納体側に備え付けたダンパ装置Ｄから引き出される紐状体Ｗの引き出し端をこの収納体の開口を塞ぐ蓋体に接続させ、この蓋体が開き動作されるときに紐状体Ｗが引き出されるようにして、この蓋体の開き動作に制動を付与するように用いることができる。
【００１８】
かかるダンパ装置Ｄは、
（１）リール体１と、
（２）このリール体１を回転可能に保持するベース体２と、
（３）このリール体１の逆転によってこのリール体１を正転させる向きの付勢力を蓄勢するこのリール体１に対するうず巻きバネ３と、
（４）制動部材４とを備えている。
【００１９】
（リール体１）
リール体１は、紐状体Ｗが巻き付けられたスプール部１０と、周回ラック部１１とを有している。
【００２０】
図示の例では、かかるリール体１は、短寸の円筒状部１２と、この円筒状部１２の一方の筒端を一面に一体に連接させた円盤状部１３とを有している。円盤状部１３の他面がリール体１の外端部１’となっている。この円盤状部１３の外径は円筒状部１２の外径よりも大きくなっており、この円盤状部１３の外縁と円筒状部１２の外周面との間には、周回面１３ａが形成されている。また、この円盤状部１３の他面であって、その中央部には、この他面にスリーブ一端を一体に連接させてこの他面に直交する向きに突き出す円筒状をなすスリーブ部１４が形成されている。このスリーブ部１４は両端を開放させており、その内部を円筒状部１２の内部に連通させている。
【００２１】
また、円筒状部１２の他方の筒端には、この筒端を巡る周回フランジ１２ａが形成されている。そして、図示の例にあっては、前記円盤状部１３とこの周回フランジ１２ａとの間が、スプール部１０として機能するようになっている。
【００２２】
また、円盤状部１３の縁部には、この円盤状部１３の全周に亘って、隣り合う歯体との間に等しい間隔を開けて複数の歯体が形成されており、この円盤状部１３の縁部が周回ラック部１１として機能するようになっている。
【００２３】
また、図示の例にあっては、ベース体２の保持凹部へのリール体１の入れ込み手前側にあるリール体１の外端部１’に、カバー１５が組み付けられるようになっている。
【００２４】
具体的には、図示の例にあっては、かかるカバー１５は、中央にリール体１のスリーブ部１４を通し抜けさせる貫通穴１５ａを備えている。また、この貫通穴１５ａを中心とした仮想の円弧に沿った長い湾曲外縁を持った第一部分１５ｂと、この第一部分１５ｂの反対側にあって前記仮想の円弧に沿った短い湾曲外縁を持ったこの第一部分１５ｂよりも巾狭の第二部分１５ｃとを有している。また、この第一部分１５ｂと第二部分１５ｃの湾曲外縁に、この湾曲外縁に沿った立ち上がり部１５ｄを有している。そして、第一部分１５ｂの立ち上がり部１５ｄの突き出し端と第二部分１５ｃの立ち上がり部１５ｄの突き出し端とにそれぞれ、この突き出し端から外方に張り出すフランジ部１５ｅを有している。
【００２５】
かかるカバー１５に、紐状体Ｗの一端部Ｗａがこの一端部Ｗａをインサートとしたインサート成形によって止着されている。具体的には、図示の例にあっては、貫通穴１５ａと第二部分１５ｃの湾曲外縁との間において、この第二部分１５ｃの肉厚内に紐状体Ｗの一端部Ｗａを埋め込み状に通した状態で、カバー１５をプラスチックのインサート成形によって形成させている。埋め込まれた紐状体Ｗの末端は、第二部分１５ｃの湾曲外縁の両側に形成されたストレート縁１５ｆの一方の端面から外方に突き出され、また、紐状体Ｗはかかる一方の端面に略直交する向きに第二部分１５ｃ内を通って他方のストレート縁１５ｆの端面から抜き出てその先に延び出すようになっている。
【００２６】
一方、リール体１の円盤状部１３の他面には、前記スリーブ部１４を中心とした仮想の円の円弧に沿って、この他面から突き出す四カ所の弧状リブ１３ｂが形成されていると共に、この弧状リブ１３ｂの突き出し端には、この弧状リブ１３ｂの湾曲内側に向けて突き出す掛合爪１３ｃが形成されている。
【００２７】
また、図示の例にあっては、リール体１の周回ラック部１１に、この周回ラック部１１を構成する複数の歯体のうちの、隣り合った二つの歯体の根本において外方に開放されて、このリール体１の内方に延びる紐状体Ｗの通し用割溝１１ａが形成されている。すなわち、図示の例にあっては、リール体１の前記円盤状部１３における円筒状部１２から突き出した部分を割り欠くようにしてこの通し用割溝１１ａが形成されている。
【００２８】
そして、図示の例にあっては、カバー１５の立ち上がり部１５ｄをリール体１の弧状リブ１３ｂ間に入れ込むことにより、この弧状リブ１３ｂに形成された掛合爪１３ｃへの立ち上がり部１５ｄに形成されたフランジ部１５ｅの突き当たりによって主としてこの弧状リブ１３ｂ側が一旦外向きに撓み出すと共に、この掛合爪１３ｃの下にフランジ部１５ｅが入り込んだ位置でのこの弧状リブ１３ｂ側の弾性復帰によってこのフランジ部１５ｅに掛合爪１３ｃが上方から引っかかり、これによりリール体１の外端部１’にワンタッチでカバー１５を組み付けることができるようになっている。
【００２９】
これにより、図示の例にあっては、リール体１にカバー１５を組み付けることにより、リール体１に紐状体Ｗの一端部Ｗａを確実に接合させることができると共に、このカバー１５に止着された紐状体Ｗを前記通し用割溝１１ａを通してスプール部１０に都合良く巻き付けさせることができる。
【００３０】
なお、図示の例にあっては、カバー１５の第一部分１５ｂの湾曲外縁であって、第二部分１５ｃにおける紐状体Ｗの延び出し側のストレート縁１５ｆに近接した箇所に、通し用割溝１１ａに紐状体Ｗを通した状態でこの通し用割溝１１ａにはめ込まれる突部１５ｇが形成されている。
【００３１】
また、図示の例にあっては、リール体１の円筒状部１２の内部であって、その内周面に近接した箇所に、片上端を円盤状部１３の一面に一体に連接させて下方に突き出すうず巻きバネ３のバネ外端３０の止め付け片１２ｂが形成されている。
【００３２】
また、図示の例にあっては、前記紐状体Ｗの他端部Ｗｂに、この他端部Ｗｂをインサートとしたインサート成形によって、被制動付与対象物への留め付け部５１を備えたクリップ５が止着されている。
【００３３】
具体的には、図示の例にあっては、紐中間部をリール体１のスプール部１０に巻き付けさせてこのリール体１から引き出されることとなる紐状体Ｗの他端部Ｗｂを、略長方形の板状をなすクリップ５の一方の長辺部の側方に形成された張り出し部５０の肉厚内に埋め込み状にに通した状態で、このクリップ５をプラスチックのインサート成形によって形成させている。また、図示の例にあっては、かかるクリップ５における紐状体Ｗの中間部側に向けられた一方の短辺部の両隅にそれぞれ、前記留め付け部５１となる突片５１ａが形成されており、被制動付与対象物に形成された取り付け用穴などにこの一対の突片５１ａ、５１ａをそれぞれ入れ込むことにより、このクリップ５を介してこの被制動付与対象物にワンタッチで確実に紐状体Ｗの他端部Ｗｂを接合させることができるようになっている。
【００３４】
（ベース体２）
ベース体２は、短軸ｘと長軸ｙとを持った楕円状をなすリール体１の保持凹部２０を有している。
【００３５】
図示の例にあっては、かかる保持凹部２０は、取り付け用基板２１の一面から他面に向けて窪み込むように形成されている。図示の例では、かかる保持凹部２０は、凹部入り口側を広径とし、凹部の底側を狭径としている。この広径部２０ａと狭径部２０ｂとの間には、段差面２０ｃが形成されている。そして、図示の例にあっては、リール体１のスプール部１０がこの狭径部２０ｂに納まり、円盤状部１３が広径部２０ａに納まるようにして、この保持凹部２０にリール体１を回転可能に入れ込ませるようになっている。取り付け用基板２１には、ベース体２を、つまりは、ダンパ装置Ｄを、備え付けさせるためのネジなどの入れ込み穴２１ａが形成されている。例えば、収納体の内壁面などにこの入れ込み穴を利用してダンパ装置Ｄを取り付けることができるようになっている。
【００３６】
図示の例ではまた、ベース体２の保持凹部２０の底側に、この保持凹部２０へのリール体１の入れ込みによって、この入れ込み先側にあるリール体１の奥端部１”に形成された周回フランジ１２ａに突き当てられて一旦弾性変形した後のこの保持凹部２０にリール体１を入れ込み切った位置での弾性復帰により、この周回フランジ１２ａの上面に引っかかる掛合爪２２が形成されている。
【００３７】
図示の例にあっては、保持凹部２０の短軸ｘ方向の両側にそれぞれ、保持凹部２０の底に掛合面２２ａを向けた掛合爪２２が形成されている。
【００３８】
これにより、図示の例にあっては、ベース体２の保持凹部２０にリール体１を入れ込ませることにより、このベース体２にワンタッチで回転可能にリール体１を組み付けることができるようになっている。
【００３９】
かかる保持凹部２０の狭径部２０ｂの短軸ｘ方向の寸法は、リール体１の周回フランジ１２ａの径とほぼ等しくなっているが、この狭径部２０ｂの長軸ｙ方向の寸法は、この周回フランジ１２ａの径よりもやや大きくなっており、リール体１は保持凹部２０内に回転可能に保持されるが、この長軸ｙ方向においてリール体１の若干の移動が許容されるようになっている。
【００４０】
そして、この実施の形態にあっては、かかるベース体２の保持凹部２０の短軸ｘを挟んだ一方側からリール体１を逆転させながら紐状体Ｗが引き出されるようにしてあると共に、
この保持凹部２０の短軸ｘを挟んだ一方側に形成された割欠き部２３に後述する制動部材４のギア部４０ａが臨まされている。
【００４１】
図示の例にあっては、前記短軸ｘを挟んだ一方側において、保持凹部２０を構成する狭径部２０ｂの側壁が一部割り欠かれて引き出し窓２４が形成されており、リール体１のスプール部１０に巻き付けられた紐状体Ｗの他端部Ｗｂ側はこの引き出し窓２４を通じて取り付け用基板２１の他面側に引き出され、さらに、この引き出し窓２４の先にある略長方形状をなすガイド窓穴２１ｂを通って取り付け用基板２１の一面側に入り込み、その先に延び出せるようになっている。
【００４２】
また、図示の例では、このガイド窓穴２１ｂの側方に、保持凹部２０を構成する広径部２０ａ及び狭径部２０ｂの側壁の一部を共に割り欠いた割欠き部２３を通じて保持凹部２０に連通すると共に、取り付け用基板２１を貫通した制動部材４のはめ込み穴２１ｃが形成されており、このはめ込み穴２１ｃに対して取り付け用基板２１の他面側から組み込まれる制動部材４のギア部４０ａの一部がこの割欠き部２３を通じて保持凹部２０の広径部２０ａ内に入り込むようになっている。
【００４３】
また、保持凹部２０の略中心には、この保持凹部２０の底から凹部の入り口に向けて突き出す円柱状突部２５が形成されていると共に、この円柱状突部２５はその突き出し端から基部に亘る深さを持ち、かつ、この円柱状突部２５の中心を通る割溝２５ａによって二つに分割されている。そして、図示の例にあっては、この円柱状突部２５の割溝にうず巻きバネ３のバネ中心端３１を入れ込ませることにより、このバネ中心端３１が保持凹部２０の略中心に止め付けられるようになっている。
【００４４】
（うず巻きバネ３）
うず巻きバネ３は、バネ中心端３１を保持凹部２０の略中心に止め付け、かつ、バネ外端３０をリール体１に止め付けている。
【００４５】
図示の例では、このうず巻きバネ３は、リール体１の円筒状部１２の内部に納まる外径と巾とを持つように構成されている。また、このうず巻きバネ３は、リール体１がこのリール体１に巻き付けられた紐状体Ｗの引き出し操作によって逆転（図３における時計回りの向き）されると引き絞られて、このリール体１を正転させる向きの付勢力を蓄勢させるようになっている。
【００４６】
それと共に、このうず巻きバネ３は、紐状体Ｗの引き出し操作がなされない状態においては、保持凹部２０の中心を通る長軸ｙ上において、バネ中心端３１からの保持凹部２０の短軸ｘを挟んだ一方側の半径ｚ１と、この短軸ｘを挟んだ他方側の半径ｚ２とを略等しくするようになっている。（図８）
【００４７】
（制動部材４）
制動部材４は、粘性流体の封入されたケース体４１に軸内端（図示は省略する。）を回転可能に納めさせると共に、軸外端にギア部４０ａを備えた回転軸体４０を有している。
【００４８】
そして、この回転軸体４０の回転に対して、ケース体４１に封入された粘性流体によって制動を付与するように構成されている。この回転軸体４０の回転軸線は、ベース体２の保持凹部２０に保持されたリール体１の回転軸線と略平行をなすようにしてある。かかる粘性流体としては、典型的にはシリコンオイルやグリスなどを用いることがでできる。
【００４９】
そして、この実施の形態にあっては、紐状体Ｗを引き出し操作しない状態では、リール体１の周回ラック部１１が制動部材４のギア部４０ａに噛み合わないが、紐状体Ｗを引き出し操作すると、この引き出し力によって保持凹部２０の長軸ｙ方向においてうず巻きバネ３を弾性変形させながらリール体１が保持凹部２０の短軸ｘを挟んだ一方側に移動され、この移動によりこのリール体１の周回ラック部１１が制動部材４のギア部４０ａに噛み合うようになっている。
【００５０】
具体的には、図示の例にあっては、紐状体Ｗに引き出し力が作用されると保持凹部２０内に保持されたリール体１が巻き取っていた紐状体Ｗを繰り出させる向きに逆転されながら前記短軸ｘを挟んだ一方側に移動されると共に、うず巻きバネ３はこの逆転によって引き絞られながら、保持凹部２０の中心を通る長軸ｙ上において、バネ中心端３１からの保持凹部２０の短軸ｘを挟んだ一方側の半径ｚ１を長くするように弾性変形されるようになっている。（図５）紐状体Ｗへの引き出し力の作用が解かれると、うず巻きバネ３は、バネ中心端３１からの保持凹部２０の短軸ｘを挟んだ一方側の半径ｚ１と、この短軸ｘを挟んだ他方側の半径ｚ２とを略等しくするように復帰されることから、リール体１は前記移動前の位置に戻った周回ラック部１１を制動部材４のギア部４０ａに噛み合わせない状態でうず巻きバネ３の作用により正転し、引き出された紐状体Ｗを巻き取る。
【００５１】
（機能）
この実施の形態にかかるダンパ装置Ｄは、以上の構成を備えていることから、リール体１から紐状体Ｗが引き出される際にはこの引き出しに制動を付与する反面、この紐状体Ｗへの引き出し力の作用が解かれた場合には制動部材４による制動を蒙ることなくうず巻きバネ３の作用によりリール体１を正転させて引き出された紐状体Ｗを巻き取るように機能する。
【００５２】
例えば、ダンパ装置Ｄを収納体側に備え付けさせ、紐状体Ｗの引き出し端（他端部Ｗｂ）をこの収納体の開口を閉塞する蓋体（被制動付与対象物）に接合させるようにした場合には、蓋体の開き動作に対してのみ制動を付与させることができる。開かれた蓋体を閉じ動作される場合には紐状体Ｗに引き出し力、つまり、テンションが作用されないことから、ダンパ装置Ｄは紐状体Ｗの緩み分に応じてこの紐状体Ｗを円滑に巻き取る。
【図面の簡単な説明】
【００５３】
【図１】ダンパ装置Ｄの斜視構成図
【図２】同分解斜視構成図
【図３】同正面図
【図４】同要部断面構成図
【図５】同正面図
【図６】同要部断面構成図
【図７】図３におけるＡ−Ａ線断面図
【図８】ベース体２の正面図
【図９】ダンパ装置Ｄの背面図（紐状体Ｗ省略）
【図１０】リール体１の図１１におけるB−B線断面図
【図１１】リール体１の図１０におけるC−C線断面図
【符号の説明】
【００５４】
１  リール体
１０  スプール部
１１  周回ラック部
２  ベース体
２０  保持凹部
ｘ  短軸
ｙ  長軸
３  うず巻きばね
４  制動部材
４０  回転軸体
４０ａ  ギア部
Ｗ  紐状体
【図１】
2006046490.tif 000003
【図２】
2006046490.tif 000004
【図３】
2006046490.tif 000005
【図４】
2006046490.tif 000006
【図５】
2006046490.tif 000007
【図６】
2006046490.tif 000008
【図７】
2006046490.tif 000009
【図８】
2006046490.tif 000010
【図９】
2006046490.tif 000011
【図１０】
2006046490.tif 000012
【図１１】
2006046490.tif 000013